(57)【特許請求の範囲】
【請求項１】
身体の所定部位の微細振動である振戦を計測する振戦計測手段と、
被験者が振戦の計測時に心理的に感じている疲労・ストレス等の主観的神経系体調に関する主観体調情報を入力する入力手段と、
予め計測された振戦と意志の支配下にない疲労の程度やストレスの程度等の客観的神経系体調度との間の相関関係を示す予め作成した客観データと前記主観体調情報と心理的に感じている疲労の程度・ストレスの程度等の主観的神経系体調度との間の相関関係を示す予め作成した主観データとを記憶する記憶手段と、
前記記憶手段に記憶された前記客観データを参照して前記振戦計測手段で計測された振戦の計測結果に対応する前記客観的神経系体調度を求めるとともに、前記記憶手段に記憶された前記主観データを参照して前記入力手段で入力された前記主観体調情報に対応する前記主観的神経系体調度を求める評価手段と、
を備え、
前記評価手段によって求めた前記客観的神経系体調度と前記主観的神経系体調度との間の相関関係を表示する表示手段を備える
ことを特徴とする振戦計測器。
【請求項２】
身体の所定部位の微細振動である振戦を計測する振戦計測手段と、
被験者が振戦の計測時に心理的に感じている疲労・ストレス等の主観的神経系体調に関する主観体調情報を入力する入力手段と、
予め計測された振戦と意志の支配下にない疲労の程度やストレスの程度等の客観的神経系体調度との間の相関関係を示す予め作成した客観データと前記主観体調情報と心理的に感じている疲労の程度・ストレスの程度等の主観的神経系体調度との間の相関関係を示す予め作成した主観データとを記憶する記憶手段と、
前記記憶手段に記憶された前記客観データを参照して前記振戦計測手段で計測された振戦の計測結果に対応する前記客観的神経系体調度を求めるとともに、前記記憶手段に記憶された前記主観データを参照して前記入力手段で入力された前記主観体調情報に対応する前記主観的神経系体調度を求める評価手段と、
を備え、
前記評価手段によって求めた前記客観的神経系体調度と前記主観的神経系体調度との時間的履歴関係を表示する表示手段を備える
ことを特徴とする振戦計測器。
【発明の詳細な説明】
【０００１】
【発明の属する技術分野】
本発明は、腕や手指などの身体部分の機械的振動で眼には見えない微細な振動である振戦を計測する振戦計測器に関する。
【０００２】
【従来の技術】
振戦とは、腕や手指などの身体部分の機械的振動で眼には見えない微細な振動のことである。
【０００３】
振戦を計測するには、例えば、前腕及び所定の指（例えば人差し指）を除く手指を測定台に載せ、所定の指（例えば人差し指）を、爪側が上側になるように測定台から浮かし、加速度センサを所定の指（例えば人差し指）の爪側に固定し、この状態を所定時間保持し、このときの所定の指（例えば人差し指）に生じる微細振動（振戦）を計測することにより行われている。
【０００４】
一方、従来から、被験者の疲労の程度・ストレスの程度等のような神経系体調度をこの振戦の計測結果から評価し、長期間にわたって観察することが行われている。
【０００５】
【発明が解決しようとする課題】
しかし、上述において、振戦の計測結果から被験者の疲労の程度・ストレスの程度等の神経系体調度を評価するには、病院の先生等の評価者が振戦の計測結果と疲労の程度・ストレスの程度等の神経系体調度との関係を示すデータを参照して評価を行う必要があった。また、被験者の疲労の程度・ストレスの程度等の神経系体調度を長期間にわたって観察するには、振戦の計測結果あるいは疲労の程度・ストレスの程度等の神経系体調度をグラフ化するなどして記録する必要があった。これらのことは、人手を介さなければならなく、煩わしいという問題があった。
【０００６】
また、意志の支配下にない被験者の疲労の程度・ストレスの程度等の神経系体調度に関して振戦の計測結果から評価された結果は、振戦の計測時に被験者が心理的に感じている疲労の程度・ストレスの程度等の神経系体調度としばしば異なることがあるために、例えば、本来被験者の意志の支配下にない疲労の程度・ストレスの程度等の神経系体調度の度合いが高いにもかかわらず、被験者の自覚が低く、被験者はますます疲労の程度・ストレスの程度等の神経系体調度を受け健康を害してしまう、という問題があった。
【０００７】
そこで、本発明の目的は、上述の従来技術の問題を解消し、疲労の程度やストレスの程度等の神経系体調度の評価が客観的な面と主観的な面との両面から自動的に可能な振戦計測器を提供することである。
【０００８】
【課題を解決するための手段】
上記目的を達成するために、本発明の振戦計測器は、身体の所定部位の微細振動である振戦を計測する振戦計測手段と、被験者が振戦の計測時に心理的に感じている疲労・ストレス等の主観的神経系体調に関する主観体調情報を入力する入力手段と、予め計測された振戦と意志の支配下にない疲労の程度やストレスの程度等の客観的神経系体調度との間の相関関係を示す予め作成した客観データと前記主観体調情報と心理的に感じている疲労の程度・ストレスの程度等の主観的神経系体調度との間の相関関係を示す予め作成した主観データとを記憶する記憶手段と、前記記憶手段に記憶された前記客観データを参照して前記振戦計測手段で計測された振戦の計測結果に対応する前記客観的神経系体調度を求めるとともに、前記記憶手段に記憶された前記主観データを参照して前記入力手段で入力された前記主観体調情報に対応する前記主観的神経系体調度を求める評価手段と、を備え、前記評価手段によって求めた前記客観的神経系体調度と前記主観的神経系体調度との間の相関関係を表示する表示手段を備えることを特徴とする。
【００１０】
また、身体の所定部位の微細振動である振戦を計測する振戦計測手段と、被験者が振戦の計測時に心理的に感じている疲労・ストレス等の主観的神経系体調に関する主観体調情報を入力する入力手段と、予め計測された振戦と意志の支配下にない疲労の程度やストレスの程度等の客観的神経系体調度との間の相関関係を示す予め作成した客観データと前記主観体調情報と心理的に感じている疲労の程度・ストレスの程度等の主観的神経系体調度との間の相関関係を示す予め作成した主観データとを記憶する記憶手段と、前記記憶手段に記憶された前記客観データを参照して前記振戦計測手段で計測された振戦の計測結果に対応する前記客観的神経系体調度を求めるとともに、前記記憶手段に記憶された前記主観データを参照して前記入力手段で入力された前記主観体調情報に対応する前記主観的神経系体調度を求める評価手段と、を備え、前記評価手段によって求めた前記客観的神経系体調度と前記主観的神経系体調度との時間的履歴関係を表示する表示手段を備えることを特徴とする。
【００１１】
上述の発明において、振戦計測手段で振戦を計測し、この計測結果に対応する客観的神経系体調度を客観データを参照して求める。また、入力手段で主観体調情報を入力し、入力された主観体調情報に対応する主観的神経系体調度を主観データを参照して求める。求めた客観的神経系体調度と主観的神経系体調度とから、被験者は、疲労の程度やストレスの程度等の神経系体調度について、客観的な面と主観的な面との両面から自覚することが可能になる。
【００１２】
【発明の実施の形態】
以下に図面を参照して、本発明に係る振戦計測器の実施の形態について説明する。
【００１３】
図１は、本発明の一実施例である振戦計測器の構成を示す斜視図である。図２は、電気的構成を示すブロック図である。
【００１４】
図１に示すように、振戦計測器は、振戦計測における振戦検出部１と、振戦検出部１による検出データを処理する装置本体３とを備えている。センサ部１と装置本体３とは導線４によって接続されている。
【００１５】
振戦検出部１は、身体の所定部位の微細振動（振戦）を検出する振動センサ（加速度センサ）５と身体の所定部位に振動センサ５を装着するためのバンド７とを備えている。また、装置本体３には、スイッチ９と表示手段１１が設けられている。スイッチ９は、被験者が振戦の計測時に主観的あるいは心理的に感じている疲労・ストレス等の主観的神経系体調に関する主観体調情報を入力する入力手段９ａ、９ｂと、電源のスイッチ手段９ｃとを有する。入力手段９ａ、９ｂは押しボタンタイプであってもよくあるいはテンキータイプであってもよい。表示手段１１は、入力手段９ａ、９ｂで入力された入力事項やマイコンでの処理結果を表示する。
【００１６】
装置本体３の内部には、図２に示すように電子回路部１３が設けられている。電子回路部１３は、振動センサ５から供給される微細なアナログ信号を増幅しデジタル信号に変換するＡ／Ｄ変換器１５と、このＡ／Ｄ変換器１５によるデジタル信号から振戦に関するデータを演算処理する演算手段１８と疲労の程度・ストレスの程度等のような神経系体調度を評価する評価手段１９を有するマイコン１７と、記憶手段２１とを備えている。
【００１７】
振戦に関するデータを得るための振戦計測手段２３は、振動センサ５とＡ／Ｄ変換器１５と演算手段１８とによって構成されている。
【００１８】
記憶手段２１は、予め計測される振戦と意志の支配下にない疲労の程度やストレスの程度等の客観的神経系体調度との間の相関関係を示す予め作成した客観データ３１と主観体調情報と心理的に感じている疲労の程度・ストレスの程度等の主観的神経系体調度との間の相関関係を示す予め作成した主観データ３３とを記憶する。なお、客観データ３１を得るために予め行う振戦の計測では、振戦計測手段２３自体を用いて計測してもよくあるいは他の振戦計測手段を用いて計測してもよい。
【００１９】
評価手段１９は、記憶手段２１に記憶された客観データ３１を参照して振戦計測手段２３で計測された振戦の計測結果に対応する客観的神経系体調度を求めるとともに、記憶手段２１に記憶された主観データ３３を参照して入力手段９ａ、９ｂで入力された主観体調情報に対応する主観的神経系体調度を求める。
【００２０】
次に、振戦計測器の使用方法と動作について説明する。
図３は、表示手段１１に入力事項として表示される主観的疲労に対する主観体調情報を形成する質問の一例を示す。表示手段１１に表示された質問を参照し入力手段９ａ、９ｂで〇や×を入力したりテンキーから数字を入力して、被験者が振戦の計測時に心理的に感じている疲労・ストレス等の主観的神経系体調に関する主観体調情報が入力される。
【００２１】
図４は、客観データ３１の一例を示す。客観データ３１は、振戦計測手段２３で計測される振戦に関するデータ３５と意志の支配下にない疲労の程度やストレスの程度等の客観的神経系体調度３６との間の相関関係を示す。
【００２２】
図５は、表示手段１１に出力事項として表示される振戦波形グラフの一例を示す。
【００２３】
図６は、表示手段１１に出力事項として表示される周波数解析波形グラフの一例を示す。
【００２４】
図７は、表示手段１１に出力事項として表示される周波数解析波形を数値化した一例を示す。図８は、表示手段１１に出力事項として表示される客観的疲労度（客観的神経系体調度）と主観的疲労度（主観的神経系体調度）との時間的履歴関係の比較グラフの一例を示す。図９は、主観的疲労度（主観的神経系体調度）と客観的疲労度（客観的神経系体調度）との間の相関関係を表わす評価グラフの一例を示す。
【００２５】
以下、客観的神経系体調度のうち疲労の程度を表す客観的疲労度と、主観的神経系体調度のうち疲労の程度を表す主観的疲労度とを計測評価する例を説明する。
【００２６】
被験者は、振動センサ５による振戦の検出前に、表示手段１１に表示された案内に従って図３に示す質問例１や質問例２のような主観的疲労度に対する質問に対し、心理的に感じている疲労の程度について入力手段９ａ、９ｂにより応答する。
【００２７】
そして、被験者は振動センサ５を身体の所定部位に装着する。被験者の身体の所定部位の微細振動（振戦）を振動センサ５が検出してアナログ信号としてＡ／Ｄ変換器１５に出力する。アナログ信号の供給をうけたＡ／Ｄ変換器１５では、このアナログ信号を増幅しデジタル信号に変換し、マイコン１７に出力する。デジタル信号の供給を受けたマイコン１７では、まず、演算手段１８において、図５に示すような振戦波形に変換したり、Ａ／Ｄ変換器１５からのデジタル信号を所定の測定時間に渡ってサンプリングし周波数変換して図６に示すようなパワースペクトラムを求めたりする。
【００２８】
このパワースペクトラムの結果は、図６に示す周波数解析グラフに示すように、横軸を周波数、縦軸をパワーとして求められる。ちなみに、この周波数解析グラフでは、約１０Ｈｚと約２０Ｈｚの２箇所に見られるようなパワーのピークＰｌ、Ｐｈが形成される。このグラフの例の場合、約１０ＨｚのパワーのピークＰｌは脳からの制御信号によるものであり、約２０ＨｚのパワーのピークＰｈは脳を通らない脊髄反射によるものであると考察されている。このパワーのピークの大きさＰｌ、Ｐｈ及び周波数ｆｌ、ｆｈ、周波数解析波形の面積等は、客観的疲労度により異なったものとなる。
【００２９】
次に、評価手段１９において、図４に示すように、予め記憶手段２１に記憶された客観データ３１を参照する。客観データ３１は、振戦のパワースペクトラム結果（総パワースペクトラムの変化率）（図４の符号３５参照）と客観的疲労度（客観的疲労度の点数）（図４の符号３６参照）との間の相関関係を示す。客観データ３１を参照することにより客観的疲労度を評価され、この客観的疲労度は点数評価される。評価方法は、今回計測した周波数解析した振戦波形の総パワースペクトラムを求め、前回計測したときの総パワースペクトラムとからの変化率を求め、これに対応する客観的疲労度の点数を選出する。これによって、客観的疲労度の評価データが得られる。なお、一番初めに計測したときには前回のデータがないので、客観的疲労度の評価はなされない。
【００３０】
また、評価手段１９は、入力手段９ａ、９ｂにより入力された主観的疲労結果を基に記憶手段２１に記憶された主観データ３３を参照することにより主観的疲労度を評価する。この主観的疲労度は、図３に示す質問例１や質問例２のような主観的疲労度に対する質問についての回答によって点数評価される。評価方法は、質問例１の場合には○の数が点数となる。質問例２の場合には入力した数値が点数となる。これによって、主観的疲労度の評価データが得られる。
【００３１】
そして、これら客観的疲労度と主観的疲労度との評価データから図９に示すような客観的疲労度と主観的疲労度との相関関係を示すグラフが得られ、このグラフを用いて総合評価される。図９においては、縦軸を主観的疲労度、横軸を客観的疲労度とし、Ａ〜Ｅの評価区域に区分けされている。主観的疲労度と客観的疲労度の点数が共にＡの評価区域となった場合には、とても体調が良好な状態を表す。Ｂの評価区域となった場合には、体調が平常以上である状態を表す。Ｃの評価区域となった場合には、客観的疲労度と主観的疲労度の両方が高く、体調がとても悪く、疲労状態を示す。Ｄの評価区域となった場合には、客観的疲労度は低いが主観的疲労度が高く、気持ちの落ち込みによる疲労感が強いことを表す。Ｅ評価区域となった場合には、客観的疲労度は高いが主観的疲労度が低く、身体は疲労しているのに、被験者本人は疲労を感じておらず注意すべき状態を表す。
【００３２】
なお、評価手段１９による評価結果は、記憶手段２１に履歴情報として記憶される。
【００３３】
次に、マイコン１７の演算手段１８や評価手段１９での処理の結果は、表示手段１１に出力される。表示手段１１では、マイコン１７の演算手段１８で変換された振戦波形は図５に示すように横軸を時間、縦軸を振動の大きさで示すグラフにて表示される。また、マイコン１７の演算手段１８で求められたパワースペクトラムは図６に示すように横軸を周波数、縦軸をパワーで示すグラフにて表示される。なお、この図６に示すような周波数解析グラフを図７に示すような数値化した表示としてもよい。
【００３４】
更に、表示手段１１では、図８に示すように、過去に評価されて記憶手段２１に記憶された履歴情報を横軸に計測日、縦軸に客観的体調度及び主観的疲労度の点数で表すグラフとして表示する。なお、図８に示すグラフは客観的疲労度もしくは主観的疲労度のどちらか一方だけを表示することも可能である。
【００３５】
以上のように、本発明の実施の形態によれば、振戦計測手段２３で振戦を計測しこの計測結果に対応する客観的疲労度を客観データ３１を参照して求め、入力手段１１で図３に示すような主観体調情報を入力し入力された主観体調情報に対応する主観的疲労度を主観データ３３を参照して求めることができ、例えば図９を参照し客観的疲労度と主観的疲労度とから、被験者は、疲労について、客観的な面と主観的な面との両面から自覚することが可能になる。
【００３６】
【発明の効果】
以上説明したように、本発明の構成によれば、疲労の程度やストレスの程度等の神経系体調度の評価が客観的な面と主観的な面との両面から自動的に可能な振戦計測器を提供することである。
【図面の簡単な説明】
【図１】本発明に係る振戦計測器の概略構成を示す図。
【図２】本発明に係る振戦計測器における内部構成を示すブロック図。
【図３】表示手段に入力事項として表示される主観体調情報を形成する質問の一例を示す図。
【図４】振戦に関するデータと客観的神経系体調度との間の相関関係を示す客観データの一例を示す図。
【図５】表示手段に出力事項として表示される振戦波形グラフの一例を示す図。
【図６】表示手段に出力事項として表示される周波数解析波形グラフの一例を示す図。
【図７】表示手段に出力事項として表示される周波数解析波形を数値化した一例を示す図。
【図８】表示手段に出力事項として表示される客観的疲労度と主観的疲労度との時間的履歴関係の比較グラフの一例を示す図。
【図９】客観的疲労度と主観的疲労度との相関関係を示すグラフの一例を示す図。
【符号の説明】
１  振戦検出部
３  装置本体
５  振動センサ
７  バンド
９ａ、９ｂ  入力手段
１１  表示手段
１５  Ａ／Ｄ変換器
１８  演算手段
１９  評価手段
２１  記憶手段
２３  振戦計測手段
３１  客観データ
３３  主観データ
【図１】
0003745222.tif 000002
【図２】
0003745222.tif 000003
【図３】
0003745222.tif 000004
【図４】
0003745222.tif 000005
【図５】
0003745222.tif 000006
【図６】
0003745222.tif 000007
【図７】
0003745222.tif 000008
【図８】
0003745222.tif 000009
【図９】
0003745222.tif 000010